(57)【要約】      （修正有）【課題】  特別な表示領域を設けることなく特定の情報を表示可能な映像データ再生装置を提供すること。【解決手段】  タイトルの再生中に、所定の指示、たとえばチャプタスキップの指示が入力されると、指示の内容に対応した報知画像（スプラッシュマーク）が選択される（ステップＳ１０２）。次に、再生中のタイトルの全チャプタ数およびスキップ先のチャプタ番号が読み出される（ステップＳ１０４，Ｓ１０６）。そして、選択されたスプラッシュマークに、読み出された全チャプタ数およびスキップ先のチャプタ番号とを重畳させた画面表示用データが生成される（ステップＳ１０８）。【選択図】        図５
2006262094.tif 000002
【特許請求の範囲】
【請求項１】
ユーザからの指示の入力を受け付けるための入力手段と、
映像データおよび前記映像データの管理情報を記憶するための第１の記憶手段と、
前記指示の入力に応じて、前記第１の記憶手段に記憶された前記映像データを読み出すための再生手段と、
前記再生手段により読み出された前記映像データを出力するための出力手段と、
前記指示の内容と対応付けて、複数種類の報知画像を予め記憶するための第２の記憶手段と、
前記出力手段により前記映像データが出力されている場合に、前記入力手段よりチャプタスキップの指示の入力があったときには、前記第２の記憶手段から前記指示と対応付けられた第１の報知画像を選択するための選択手段と、
前記映像データの全チャプタ数およびチャプタスキップ先のチャプタ番号を、前記管理情報に含まれるチャプタ情報より読み出すための読み出し手段と、
前記選択手段により選択された前記第１の報知画像に、前記読み出し手段により読み出された前記全チャプタ数および前記チャプタ番号を重畳させた表示用データを生成するための生成手段とを備え、
前記生成手段は、前記第１の報知画像を構成する横方向に連続した２つの三角形のマークのうちの一方に前記チャプタ番号を、他方に前記全チャプタ数を重畳させて前記表示用データを生成し、
前記生成手段により生成された前記表示用データを前記再生手段により読み出された前記映像データと合成するための合成手段をさらに備え、
前記合成手段により前記映像データと合成された前記表示用データを、前記出力手段から出力する、映像データ再生装置。
【請求項２】
ユーザからの指示の入力を受け付けるための入力手段と、
映像データおよび前記映像データの管理情報を記憶するための第１の記憶手段と、
前記指示の入力に応じて、前記第１の記憶手段に記憶された前記映像データを読み出すための再生手段と、
前記再生手段により読み出された前記映像データを出力するための出力手段と、
前記指示の内容と対応付けて、複数種類の報知画像を予め記憶するための第２の記憶手段と、
前記出力手段により前記映像データが出力されている場合に、前記入力手段よりチャプタスキップの指示の入力があったときには、前記第２の記憶手段から前記指示と対応付けられた第１の報知画像を選択するための選択手段と、
前記指示が入力されたときの前記映像データの第１の再生時間およびチャプタスキップ先の第２の再生時間を、前記管理情報に含まれるチャプタ情報より読み出すための読み出し手段と、
前記第１の再生時間と前記第２の再生時間とに基づいて、スキップ時間を計算するための計算手段と、
前記選択手段により選択された前記第１の報知画像に、前記計算手段により計算された前記スキップ時間を重畳させた表示用データを生成するための生成手段とを備え、
前記生成手段は、前記第１の報知画像を構成する横方向に連続した２つの三角形のマークのうちの左側に前記スキップ時間の上位の時間単位を、右側に前記スキップ時間の下位の時間単位を重畳させて前記表示用データを生成し、
前記生成手段により生成された前記表示用データを前記再生手段により読み出された前記映像データと合成するための合成手段をさらに備え、
前記合成手段により前記映像データと合成された前記表示用データを、前記出力手段から出力する、映像データ再生装置。
【請求項３】
ユーザからの指示の入力を受け付けるための入力手段と、
映像データおよび前記映像データの管理情報を記憶するための第１の記憶手段と、
前記指示の入力に応じて、前記第１の記憶手段に記憶された前記映像データを読み出すための再生手段と、
前記再生手段により読み出された前記映像データを出力するための出力手段と、
前記指示の内容と対応付けて、複数種類の報知画像を予め記憶するための第２の記憶手段と、
前記出力手段により前記映像データが出力されている場合に、前記入力手段よりチャプタスキップの指示の入力があったときには、前記第２の記憶手段から前記指示と対応付けられた第１の報知画像を選択するための選択手段と、
前記映像データのスキップ先の再生時間を、前記管理情報に含まれるチャプタ情報より読み出すための読み出し手段と、
前記選択手段により選択された前記第１の報知画像に、前記読み出し手段により読み出された前記再生時間を重畳させた表示用データを生成するための生成手段とを備え、
前記生成手段は、前記第１の報知画像を構成する横方向に連続した２つの三角形のマークのうちの左側に前記再生時間の上位の時間単位を、右側に前記スキップ時間の下位の時間単位を重畳させて前記表示用データを生成し、
前記生成手段により生成された前記表示用データを前記再生手段により読み出された前記映像データと合成するための合成手段をさらに備え、
前記合成手段により前記映像データと合成された前記表示用データを、前記出力手段から出力する、映像データ再生装置。
【請求項４】
ユーザからの指示の入力を受け付けるための入力手段と、
映像データおよび前記映像データの管理情報を記憶するための第１の記憶手段と、
前記指示の入力に応じて、前記第１の記憶手段に記憶された前記映像データを読み出すための再生手段と、
前記再生手段により読み出された前記映像データを出力するための出力手段と、
前記指示の内容と対応付けて、複数種類の報知画像を予め記憶するための第２の記憶手段と、
前記出力手段により前記映像データが出力されている場合に、前記入力手段よりトリック再生の指示の入力があったときには、前記第２の記憶手段から前記指示と対応付けられた第２の報知画像を選択するための選択手段と、
再生中の前記映像データの全再生時間、および、前記指示が入力されたときの前記映像データの第１の再生時間を、前記管理情報より読み出すための読み出し手段と、
前記選択手段により選択された前記第２の報知画像に、前記読み出し手段により読み出された前記全再生時間に対する前記第１の再生時間の位置情報を重畳させた表示用データを生成するための生成手段とを備え、
前記生成手段は、前記第２の報知画像の横方向の長さを前記全再生時間とした場合の前記第１の再生時間の位置を境として、前記第２の報知画像を異なる表示態様で表わす前記表示用データを生成し、
前記生成手段により生成された前記表示用データを前記再生手段により読み出された前記映像データと合成するための合成手段をさらに備え、
前記合成手段により前記映像データと合成された前記表示用データを、前記出力手段から出力する、映像データ再生装置。
【請求項５】
ユーザからの指示の入力を受け付けるための入力手段と、
映像データおよび前記映像データの管理情報を記憶するための第１の記憶手段と、
前記指示の入力に応じて、前記第１の記憶手段に記憶された前記映像データを読み出すための再生手段と、
前記再生手段により読み出された前記映像データを出力するための出力手段と、
前記指示の内容と対応付けて、複数種類の報知画像を予め記憶するための第２の記憶手段と、
前記出力手段により前記映像データが出力されている場合に、前記入力手段より所定の指示の入力があったときには、前記第２の記憶手段から前記所定の指示の内容と対応付けられた前記報知画像を選択するための選択手段と、
前記所定の指示に対応して予め定められた前記映像データの再生状況に関する特定の情報を、前記管理情報より読み出すための読み出し手段と、
前記選択手段により選択された前記報知画像に、前記読み出し手段により読み出された前記特定の情報を重畳させた表示用データを生成するための生成手段と、
前記生成手段により生成された前記表示用データを前記再生手段により読み出された前記映像データと合成するための合成手段とを備え、
前記合成手段により前記映像データと合成された前記表示用データを、前記出力手段から出力する、映像データ再生装置。
【請求項６】
前記入力手段よりチャプタスキップの指示が入力されたときには、前記チャプタスキップを示す第１の報知画像が前記選択手段によって選択され、
前記読み出し手段は、前記管理情報に含まれるチャプタ情報から、前記映像データの全チャプタ数およびチャプタスキップ先のチャプタ番号を読み出し、
前記生成手段は、前記第１の報知画像に、前記全チャプタ数および前記チャプタ番号を重畳させた前記表示用データを生成する、請求項５に記載の映像データ再生装置。
【請求項７】
前記第１の報知画像は、横方向に連続した２つの三角形のマークで構成され、
前記生成手段は、前記２つの三角形のマークのうちの一方に前記チャプタ番号を、他方に前記全チャプタ数を重畳させて前記表示用データを生成する、請求項６に記載の映像データ再生装置。
【請求項８】
前記入力手段よりチャプタスキップの指示が入力されたときには、前記チャプタスキップを示す第１の報知画像が前記選択手段によって選択され、
前記読み出し手段は、前記指示が入力されたときの前記映像データの第１の再生時間およびチャプタスキップ先の第２の再生時間を前記管理情報から読み出し、
前記第１の再生時間と前記第２の再生時間とに基づいて、スキップ時間を計算するための計算手段をさらに備え、
前記生成手段は、前記第１の報知画像に前記スキップ時間を重畳させた前記表示用データを生成する、請求項５に記載の映像データ再生装置。
【請求項９】
前記第１の報知画像は、横方向に連続した２つの三角形のマークで構成され、
前記スキップ時間は、連続する２つの異なる時間単位で表わされる時間であり、
前記生成手段は、前記２つの三角形のマークのうちの左側に前記スキップ時間の上位の時間単位を、右側に前記スキップ時間の下位の時間単位を重畳させて、前記表示用データを生成する、請求項８に記載の映像データ再生装置。
【請求項１０】
前記入力手段よりチャプタスキップの指示が入力されたときには、前記チャプタスキップを示す第１の報知画像が前記選択手段によって選択され、
前記読み出し手段は、前記映像データのスキップ先の再生時間を前記管理情報に含まれるチャプタ情報から読み出し、
前記生成手段は、前記第１の報知画像に前記再生時間を重畳させた前記表示用データを生成する、請求項５に記載の映像データ再生装置。
【請求項１１】
前記第１の報知画像は、横方向に連続した２つの三角形のマークで構成され、
前記生成手段は、前記２つの三角形のマークのうちの左側に前記再生時間の上位の時間単位を、右側に前記スキップ時間の下位の時間単位を重畳させて、前記表示用データを生成する、請求項１０に記載の映像データ再生装置。
【請求項１２】
前記入力手段よりトリック再生の指示が入力されたときには、前記トリック再生を示す第２の報知画像が前記選択手段によって選択され、
前記読み出し手段は、再生中の前記映像データの全再生時間、および、前記指示が入力されたときの前記映像データの第１の再生時間を前記管理情報から読み出し、
前記生成手段は、前記第２の報知画像に、前記全再生時間に対する前記第１の再生時間の位置情報を重畳させた前記表示用データを生成する、請求項５に記載の映像データ再生装置。
【請求項１３】
前記生成手段は、前記第２の報知画像の横方向の長さを前記全再生時間とした場合の前記第１の再生時間の位置を境として、前記第２の報知画像を異なる表示態様で表わす前記表示用データを生成する、請求項１２に記載の映像データ再生装置。
【発明の詳細な説明】
【技術分野】
【０００１】
本発明は、映像データ再生装置に関し、特に、ＯＳＤ（On Screen Display）表示可能な映像データ再生装置に関する。
【背景技術】
【０００２】
映像データ再生装置において、映像データの再生途中に映像データの再生状況を示す特定の情報、たとえばチャプタ情報や再生時間の情報を画面に表示するためには、一般的に、ユーザは所定の操作ボタンなどを押下しなければならない。
【０００３】
たとえば、特許文献１には、再生中にビデオリモートコントロールボタンを押すと、再生中のタイトル番号、チャプタ番号などが表示されることが開示されている。
【０００４】
このようなユーザによる特別な操作を必要とせずに、装置の動作に対応した特定の情報を提示するために、種々の提案がなされてきた。
【０００５】
たとえば、特許文献２には、チャプタサーチ中は、操作キーパネルの蛍光管表示部のサーチ先チャプタ番号を点滅させてサーチ中であることをユーザに通知することが開示されている。また、特許文献３には、表示部に再生するトラックの番号またはチャプタ番号を表示することが記載されている。また、特許文献４には、再生されるプログラムのタイトル番号、およびそのタイトル番号のタイトルにおいてこれから再生されるチャプタ／トラックの番号が再生装置のフロントパネルに表示されることが開示されている。
【０００６】
また、特許文献５には、ＣＭスキップ時間を表わす文字または記号を生成し表示することが開示されている。特許文献６には、早送り等がなされている映像の表示に対して、左上や左下等の画面エリアへと、相対サーチ時間を表示することが開示されている。
【０００７】
また、特許文献７には、チャプターサーチ画面において、タイトルおよびその時間が表示され、各チャプタの先頭映像のサムネイルと先頭の時刻位置とが表示されることが開示されている。また、上記特許文献４には、再生装置のフロントパネルに、再生対象のタイトルの全再生時間あるいは残り再生時間が表示されることが開示されている。
【０００８】
特許文献８の図４には、再生動画の総時間表示を表わすタイムラインに、チャプタマークがつけられた画像位置を示す三角マークを表示することが開示されている。また、上記特許文献７には、画面に表示されている時刻より前の時刻または後の時刻にチャプタがある場合には、左右それぞれの矢印が濃く表示されることが開示されている。特許文献９には、記録再生装置がアクセスしている記録媒体の位置に関する位置情報を、表示装置に表示させる表示制御手段と、ユーザの操作に対応して、表示装置による位置情報の表示を更新する更新手段とが開示されている。特許文献１０には、再生を行なうフォワードモード状態であるか、リバース方向に走行させて再生を行なうリバースモード状態であるか、テープの走行方向、およびテープの走行速度をそれぞれ表示することが開示されいている。このテープの走行速度は、点滅周期を切り換えることで報知される。また、特許文献１１には、モニターにテープに見立てたグラフを表示しながら、テープに記録された映像情報を再生するようになし、そのテープに記録された映像情報の再生した部分をグラフ上に既再生印で表示することが開示されている。
【特許文献１】特開２００１−３３２００６号公報
【特許文献２】特開２００４−３４８９６６号公報
【特許文献３】特開２００２−１１７６６０号公報
【特許文献４】特開平１０−１５５１３８号公報
【特許文献５】特開平１０−２６９６５１号公報
【特許文献６】特開平０６−３３８１７６号公報
【特許文献７】特開２００４−１８５６９７号公報
【特許文献８】特開２００４−２８９８５６号公報
【特許文献９】特開２００１−３４４８８４号公報
【特許文献１０】特開２００１−２０２６７０号公報
【特許文献１１】特開平１０−２８３７６４号公報
【発明の開示】
【発明が解決しようとする課題】
【０００９】
上記特許文献２〜１１では、ユーザによる特別な操作を不要とし、操作の煩わしさを解消することができる。しかしながら、上記技術においては、特別な表示領域を設けて、各種情報を表示するものである。
【００１０】
本発明は、上記のような問題を解決するためになされたものであって、その目的は、特別な表示領域を設けることなく特定の情報を表示可能な映像データ再生装置を提供することである。
【課題を解決するための手段】
【００１１】
この発明のある局面に従う映像データ再生装置は、ユーザからの指示の入力を受け付けるための入力手段と、映像データおよび映像データの管理情報を記憶するための第１の記憶手段と、指示の入力に応じて、第１の記憶手段に記憶された映像データを読み出すための再生手段と、再生手段により読み出された映像データを出力するための出力手段と、指示の内容と対応付けて、複数種類の報知画像を予め記憶するための第２の記憶手段と、出力手段により映像データが出力されている場合に、入力手段よりチャプタスキップの指示の入力があったときには、第２の記憶手段から指示と対応付けられた第１の報知画像を選択するための選択手段と、映像データの全チャプタ数およびチャプタスキップ先のチャプタ番号を、管理情報に含まれるチャプタ情報より読み出すための読み出し手段と、選択手段により選択された第１の報知画像に、読み出し手段により読み出された全チャプタ数およびチャプタ番号を重畳させた表示用データを生成するための生成手段とを備え、生成手段は、第１の報知画像を構成する横方向に連続した２つの三角形のマークのうちの一方にチャプタ番号を、他方に全チャプタ数を重畳させて表示用データを生成し、生成手段により生成された表示用データを再生手段により読み出された映像データと合成するための合成手段をさらに備え、合成手段により映像データと合成された表示用データを、出力手段から出力する。
【００１２】
この発明の他の局面に従う映像データ再生装置は、ユーザからの指示の入力を受け付けるための入力手段と、映像データおよび映像データの管理情報を記憶するための第１の記憶手段と、指示の入力に応じて、第１の記憶手段に記憶された映像データを読み出すための再生手段と、再生手段により読み出された映像データを出力するための出力手段と、指示の内容と対応付けて、複数種類の報知画像を予め記憶するための第２の記憶手段と、出力手段により映像データが出力されている場合に、入力手段よりチャプタスキップの指示の入力があったときには、第２の記憶手段から指示と対応付けられた第１の報知画像を選択するための選択手段と、指示が入力されたときの映像データの第１の再生時間およびチャプタスキップ先の第２の再生時間を、管理情報に含まれるチャプタ情報より読み出すための読み出し手段と、第１の再生時間と第２の再生時間とに基づいて、スキップ時間を計算するための計算手段と、選択手段により選択された第１の報知画像に、計算手段により計算されたスキップ時間を重畳させた表示用データを生成するための生成手段とを備え、生成手段は、第１の報知画像を構成する横方向に連続した２つの三角形のマークのうちの左側にスキップ時間の上位の時間単位を、右側にスキップ時間の下位の時間単位を重畳させて表示用データを生成し、生成手段により生成された表示用データを再生手段により読み出された映像データと合成するための合成手段をさらに備え、合成手段により映像データと合成された表示用データを、出力手段から出力する。
【００１３】
この発明の他の局面に従う映像データ再生装置は、ユーザからの指示の入力を受け付けるための入力手段と、映像データおよび映像データの管理情報を記憶するための第１の記憶手段と、指示の入力に応じて、第１の記憶手段に記憶された映像データを読み出すための再生手段と、再生手段により読み出された映像データを出力するための出力手段と、指示の内容と対応付けて、複数種類の報知画像を予め記憶するための第２の記憶手段と、出力手段により映像データが出力されている場合に、入力手段よりチャプタスキップの指示の入力があったときには、第２の記憶手段から指示と対応付けられた第１の報知画像を選択するための選択手段と、映像データのスキップ先の再生時間を、管理情報に含まれるチャプタ情報より読み出すための読み出し手段と、選択手段により選択された第１の報知画像に、読み出し手段により読み出された再生時間を重畳させた表示用データを生成するための生成手段とを備え、生成手段は、第１の報知画像を構成する横方向に連続した２つの三角形のマークのうちの左側に再生時間の上位の時間単位を、右側にスキップ時間の下位の時間単位を重畳させて表示用データを生成し、生成手段により生成された表示用データを再生手段により読み出された映像データと合成するための合成手段をさらに備え、合成手段により映像データと合成された表示用データを、出力手段から出力する。
【００１４】
この発明の他の局面に従う映像データ再生装置は、ユーザからの指示の入力を受け付けるための入力手段と、映像データおよび映像データの管理情報を記憶するための第１の記憶手段と、指示の入力に応じて、第１の記憶手段に記憶された映像データを読み出すための再生手段と、再生手段により読み出された映像データを出力するための出力手段と、指示の内容と対応付けて、複数種類の報知画像を予め記憶するための第２の記憶手段と、出力手段により映像データが出力されている場合に、入力手段よりトリック再生の指示の入力があったときには、第２の記憶手段から指示と対応付けられた第２の報知画像を選択するための選択手段と、再生中の映像データの全再生時間、および、指示が入力されたときの映像データの第１の再生時間を、管理情報より読み出すための読み出し手段と、選択手段により選択された第２の報知画像に、読み出し手段により読み出された全再生時間に対する第１の再生時間の位置情報を重畳させた表示用データを生成するための生成手段とを備え、生成手段は、第２の報知画像の横方向の長さを全再生時間とした場合の第１の再生時間の位置を境として、第２の報知画像を異なる表示態様で表わす表示用データを生成し、生成手段により生成された表示用データを再生手段により読み出された映像データと合成するための合成手段をさらに備え、合成手段により映像データと合成された表示用データを、出力手段から出力する。
【００１５】
この発明の他の局面に従う映像データ再生装置は、ユーザからの指示の入力を受け付けるための入力手段と、映像データおよび映像データの管理情報を記憶するための第１の記憶手段と、指示の入力に応じて、第１の記憶手段に記憶された映像データを読み出すための再生手段と、再生手段により読み出された映像データを出力するための出力手段と、指示の内容と対応付けて、複数種類の報知画像を予め記憶するための第２の記憶手段と、出力手段により映像データが出力されている場合に、入力手段より所定の指示の入力があったときには、第２の記憶手段から所定の指示の内容と対応付けられた報知画像を選択するための選択手段と、所定の指示に対応して予め定められた映像データの再生状況に関する特定の情報を、管理情報より読み出すための読み出し手段と、選択手段により選択された報知画像に、読み出し手段により読み出された特定の情報を重畳させた表示用データを生成するための生成手段と、生成手段により生成された表示用データを再生手段により読み出された映像データと合成するための合成手段とを備え、合成手段により映像データと合成された表示用データを、出力手段から出力する。
【００１６】
好ましくは、入力手段よりチャプタスキップの指示が入力されたときには、チャプタスキップを示す第１の報知画像が選択手段によって選択され、読み出し手段は、管理情報に含まれるチャプタ情報から、映像データの全チャプタ数およびチャプタスキップ先のチャプタ番号を読み出し、生成手段は、第１の報知画像に、全チャプタ数およびチャプタ番号を重畳させた表示用データを生成する。
【００１７】
好ましくは、第１の報知画像は、横方向に連続した２つの三角形のマークで構成され、生成手段は、２つの三角形のマークのうちの一方にチャプタ番号を、他方に全チャプタ数を重畳させて表示用データを生成する。
【００１８】
好ましくは、入力手段よりチャプタスキップの指示が入力されたときには、チャプタスキップを示す第１の報知画像が選択手段によって選択され、読み出し手段は、指示が入力されたときの映像データの第１の再生時間およびチャプタスキップ先の第２の再生時間を管理情報から読み出し、第１の再生時間と第２の再生時間とに基づいて、スキップ時間を計算するための計算手段をさらに備え、生成手段は、第１の報知画像にスキップ時間を重畳させた表示用データを生成する。
【００１９】
好ましくは、第１の報知画像は、横方向に連続した２つの三角形のマークで構成され、スキップ時間は、連続する２つの異なる時間単位で表わされる時間であり、生成手段は、２つの三角形のマークのうちの左側にスキップ時間の上位の時間単位を、右側にスキップ時間の下位の時間単位を重畳させて、表示用データを生成する。
【００２０】
好ましくは、入力手段よりチャプタスキップの指示が入力されたときには、チャプタスキップを示す第１の報知画像が選択手段によって選択され、読み出し手段は、映像データのスキップ先の再生時間を管理情報に含まれるチャプタ情報から読み出し、生成手段は、第１の報知画像に再生時間を重畳させた表示用データを生成する。
【００２１】
好ましくは、第１の報知画像は、横方向に連続した２つの三角形のマークで構成され、生成手段は、２つの三角形のマークのうちの左側に再生時間の上位の時間単位を、右側にスキップ時間の下位の時間単位を重畳させて、表示用データを生成する。
【００２２】
好ましくは、入力手段よりトリック再生の指示が入力されたときには、トリック再生を示す第２の報知画像が選択手段によって選択され、読み出し手段は、再生中の映像データの全再生時間、および、指示が入力されたときの映像データの第１の再生時間を管理情報から読み出し、生成手段は、第２の報知画像に、全再生時間に対する第１の再生時間の位置情報を重畳させた表示用データを生成する。
【００２３】
好ましくは、生成手段は、第２の報知画像の横方向の長さを全再生時間とした場合の第１の再生時間の位置を境として、第２の報知画像を異なる表示態様で表わす表示用データを生成する。
【発明の効果】
【００２４】
本発明によると、指示の入力に応じて表示される報知画像に、指示の内容に応じた特定の情報を重畳させることができる。したがって、ユーザは、報知画像を見るだけで特定の情報を得ることができる。これにより、ユーザは特定の情報を得るために特別な操作をする必要がなくなり、煩わしさを解消することができる。また、報知画像に重畳される特定の情報は、指示の内容に対応した情報であるので、ユーザに対し、有用な情報を提示することができる。
【発明を実施するための最良の形態】
【００２５】
本発明の実施の形態について図面を参照しながら詳細に説明する。なお、図中同一または相当部分には同一符号を付してその説明は繰返さない。
【００２６】
［実施の形態１］
図１を参照して、本発明の実施の形態に係る映像データ再生装置の一態様であるＤＶＤレコーダ１００について説明する。図１は、ＤＶＤレコーダ１００のハードウェア構成を表わすブロック図である。
【００２７】
ＤＶＤレコーダ１００は、各種データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の再生状況等である。
【００２８】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２
が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００２９】
なお、以下の説明においてＤＶＤ１７２やハードディスク１４４に記録されるデータとして映像データと記すが、映像データだけに限られず、たとえば音声データや文字データなどを含んでいてもよい。
【００３０】
システム制御回路１１０は、ハードディスク装置１４０に含まれるハードディスク１４４、あるいは、ＤＶＤ駆動装置１７０に装着されたＤＶＤ１７２から予め記憶された映像データを読み出して再生する。なお、以下の説明においては、システム制御回路１１０は、ハードディスク１４４に記憶された映像データを読み出して再生するものとして説明するが、ＤＶＤ１７２に記憶された映像データを読み出して再生するものであってもよい。また、これらの記録媒体以外であっても、映像データの再生時間情報やチャプタ情報がタイトルごとに管理されているものであればよい。
【００３１】
図２は、ハードディスク１４４に記録された映像データのタイトル管理テーブルの構造例を示す図である。このタイトル管理テーブルは、ハードディスク１４４のたとえばシステム領域に格納される。
【００３２】
図２を参照して、タイトル管理テーブルは、タイトルごとにタイトル管理データＢｊ（ｊ＝１、２、３、…、ｍ）を有する。タイトル管理データＢｊは、タイトル名Ｄ１，開始アドレスＤ２，終了アドレスＤ３，録画時間長Ｄ４，録画日付Ｄ５，チャンネルＤ６，チャプタ情報Ｄ７などを含む。チャプタ情報Ｄ７には、たとえば１フレーム分の画像データの位置を特定するための時間情報が記憶される。なお、タイトル管理データＢｊには、少なくとも開始アドレスＤ２，終了アドレスＤ３，録画時間長Ｄ４，チャプタ情報Ｄ７を含んでいればよい。また、チャプタ情報Ｄ７に記憶される時間情報は、複数であってかまわない。
【００３３】
図３は、タイトル管理データＢｊのチャプタ情報Ｄ７の内容例を示す図である。
【００３４】
図３を参照して、チャプタ情報Ｄ７には、たとえば、チャプタ番号３１と再生時間３２とが記憶される。再生時間３２は、チャプタ番号３１に対応付けられて記憶される。再生時間３２は、１つのタイトルにおいて、チャプタが付された画像データの位置を特定するための時間情報であり、該タイトルの再生を開始してからの経過時間をいう。
【００３５】
図３では、たとえば、チャプタ番号３１が１番の再生時間３２は、「００：１５：１５」である。これは、１番目のチャプタが付された画像データの位置は、開始から１５分１５秒経過した位置であることを示す。また、チャプタ番号３１が２番の再生時間３２は、「００：４５：３０」である。これは、２番目のチャプタが付された画像データの位置は、開始から４５分３０秒経過した位置であることを示す。また、チャプタ番号３１が３番の再生時間３２は、「０１：５０：５５」である。これは、３番目のチャプタが付された画像データの位置は、開始から１時間５０分５５秒経過した位置であることを示す。このように、チャプタ情報Ｄ７には、１〜ｎ番までの有限個のチャプタの位置を示す時間情報が記憶される。
【００３６】
次に、外部からの指示に応じて画面表示される報知画像について説明する。「報知画像」とは、ユーザからの指示あるいは設定時刻により、装置の状態に変化が発生した場合に、その変化をユーザに報知するための画像であり、好ましくは、画面の隅に一定時間（たとえば５秒）表示される静止画である。装置の状態に変化が発生した場合とは、たとえば、録画、録画停止、再生、一時停止、早送り、巻き戻し、再生停止などのイベントが生じた場合をいう。なお、このような報知画像を以下「スプラッシュマーク」という。スプラッシュマークは、一般的な再生装置でも用いられる公知の画像である。
【００３７】
図４は、たとえばハードディスク１４４のシステム領域などに記憶される、指示の内容とスプラッシュマークとの対応テーブルの一例を示す図である。このように、スプラッシュマークは、予め、指示の内容と対応付けて複数種類記憶される。
【００３８】
図４を参照して、スプラッシュマーク４２は、指示内容４１と対応付けられて記憶されている。たとえば指示内容４１が“再生”であれば、スプラッシュマーク４２は右向きの三角形のマークである。指示内容４１が“チャプタスキップ”であれば、スプラッシュマーク４２は横方向に連続した右向きの２つの三角形のマークで構成され、さらに２つの三角形の右側には縦方向の一本の棒状の線が付加されている。同様に、指示内容４１が“チャプタバックスキップ”であれば、スプラッシュマーク４２は横方向に連続した左向きの２つの三角形のマークで構成され、さらに２つの三角形の左側には縦方向の一本の棒状の線が付加されている。
【００３９】
また、指示内容４１が“２倍速の早送り再生”では、横方向に連続した右向きの２つの三角形のマークで構成される。また、指示内容４１が“１６倍速の早送り再生”では、横方向に連続した右向きの４つの三角形のマークで構成される。
【００４０】
ところで、タイトル再生中に現在の再生状況を知りたい場合には、ユーザは、たとえば図示しないリモコンの「画面表示キー」を押すなど特別な操作が必要となる。再生中に、このような画面表示キーをユーザが操作した場合に表示される画面の一例を図１４に示す。
【００４１】
図１４を参照して、テレビ４００の上段の領域４４０には、映像データの再生状況が表示される。「映像データの再生状況」とは、再生中の映像に関する現況であり、たとえば、図１４の領域４４０に示すように、ＤＶＤあるいはＨＤＤ（ハードディスク）いずれかのモード４４１、再生中のタイトル番号４４２、再生中のチャプタ番号４４３、現在の再生時間４４４、現在の状態４４５、再生中のタイトル名４４６などである。なお、図１４では、たとえば、再生中のタイトル番号４４２として「Ｔ１／５」が表示され、再生中のタイトルは、全タイトルが５つあるうちの１番目のタイトルであることを表わしている。また、再生中のチャプタ番号４４３として「Ｃ３／１５」が表示され、再生中のチャプタは、全チャプタが１５個あるうちの３番目のチャプタであることを表している。
【００４２】
このように、一般的な映像データ再生装置においては、映像データの再生状況を知りたければユーザに特別な操作をさせる必要がある。
【００４３】
そこで、本発明の実施の形態におけるＤＶＤレコーダ１００では、タイトル再生中に所定の指示があれば、スプラッシュマーク４２に特定の情報を重畳して表示させる。なお、「所定の指示」とは、上述のスプラッシュマーク４２を表示する契機となるような指示であり、たとえば、チャプタスキップ、チャプタバックスキップ、早送り再生、巻き戻し再生、一時停止、などの指示である。実施の形態１において「所定の指示」とは、再生中のタイトルに対するチャプタバックスキップを含むチャプタスキップの指示をいうものとする。また、「特定の情報」とは、再生状況を示す情報であり、好ましくは、ユーザからの（所定の）指示に応じた情報である。したがって、実施の形態１において「特定の情報」とは、再生中のタイトルのチャプタに関する情報をいうものとする。
【００４４】
図５は、本発明の実施の形態１において、上記所定の指示があった場合にシステム制御回路１１０が実行する処理の流れを示すフローチャートである。
【００４５】
図５を参照して、所定の指示、すなわちチャプタスキップあるいはチャプタバックスキップいずれかの指示があった場合、システム制御回路１１０は、はじめにスプラッシュマーク４２を選択する（ステップＳ１０２）。図４に示したように、スプラッシュマーク４２は予め指示内容４１と対応付けられて記憶されているため、ステップＳ１０２において、入力された指示内容４１に対応するスプラッシュマーク４２が選択される。
【００４６】
次に、システム制御回路１１０は、再生中のタイトルの全チャプタ数を読み出す（ステップＳ１０４）。続いて、システム制御回路１１０は、スキップ先のチャプタ番号３１を読み出す（ステップＳ１０６）。再生中のタイトルについてのこのような情報は、図３に示すようなチャプタ情報Ｄ７を読み出すことにより取得される。
【００４７】
たとえば、ステップＳ１０４において、再生中のタイトルの全チャプタ数は、チャプタ番号３１の最終番号であるｎを読み出すことで取得される。また、ステップＳ１０６において、スキップ先のチャプタ番号３１は、上述の所定の指示が入力されたときのタイトル（映像データ）の再生時間の直後あるいは直前の再生時間３２を検索することで取得される。
【００４８】
次に、システム制御回路１１０は、ステップＳ１０２〜Ｓ１０６の処理によって特定された情報に基づいて画面表示用データを生成するようＯＳＤ画像生成回路１１４に指示を出力する（ステップＳ１０８）。具体的には、たとえば、ステップＳ１０２で選択されたスプラッシュマーク４２と、ステップＳ１０４およびＳ１０６で読み出されたチャプタに関する情報（すなわち、全チャプタ数（ｎ）およびチャプタ番号３１）と、それらの表示位置の情報とをＯＳＤ画像生成回路１１４に与える。
【００４９】
ＯＳＤ画像生成回路１１４は、システム制御回路１１０からの指示を受け、画面に表示させるために予め定められた形式に基づいて、画面表示用データを生成する。そして、生成された画面表示用データは、合成回路１５８に出力される。
【００５０】
ここで、実施の形態１における画面表示用データの生成について説明する。
【００５１】
上述のように、指示内容４１が“チャプタスキップ”および“チャプタバックスキップ”に対応付けられたスプラッシュマーク４２は、横方向に連続する２つの三角形で構成されている。したがって、本実施の形態では、２つの三角形のマークのうちの一方にチャプタ番号３１を、他方に全チャプタ数（ｎ）を重畳させて画面表示用データを生成する。このように、各三角形に表示される数字は、１つの意味に制限されるため、数字のフォントを大きくすることができる。また、公知のスプラッシュマーク４２が利用されるため、その後再生される映像データの邪魔にならずにすむ。
【００５２】
なお、このように、画面表示用データは、スプラッシュマーク４２に特定の情報が重畳されているものであるので、以下「スプラッシュデータ」ともいう。
【００５３】
上記一連の処理が終わると、テレビ４００には、図６に示すようなスプラッシュデータが表示される。
【００５４】
図６は、実施の形態１におけるスプラッシュデータの画面表示例を示す図である。図６（ａ）は、チャプタスキップの指示が入力された場合の画面表示例を示す図であり、図６（ｂ）は、チャプタバックスキップの指示が入力された場合の画面表示例を示す図である。
【００５５】
図６（ａ）を参照して、テレビ４００の画面右上の領域に、スプラッシュデータＭ６１が表示される。スプラッシュデータＭ６１の中には、左側の三角形に「５」が表示され、右側の三角形には「／２５」が表示されている。これにより、ユーザは、再生中のタイトルの全チャプタ数は２５個であり、スキップ先のチャプタ番号３１は５番であることが分かる。
【００５６】
図６（ｂ）を参照して、テレビ４００の画面右上の領域に、スプラッシュデータＭ６２が表示される。スプラッシュデータＭ６２の中には、左側の三角形に「１０」が表示され、右側の三角形には「／２５」が表示されている。これにより、ユーザは、再生中のタイトルの全チャプタ数は２５個であり、スキップ先のチャプタ番号３１は１０番であることが分かる。
【００５７】
このように、本発明では、従来のスプラッシュマーク４２を利用することで、ユーザによる特別な操作を不要とすることができる。また、画面に表示される映像データ（再生タイトル）の領域を削減することなく、ユーザからの指示の内容に応じた有用な情報を提示することができる。
【００５８】
なお、本発明の実施の形態１では、スキップ先のチャプタ番号および全チャプタ数の両方をスプラッシュデータに含むこととしたが、いずれか一方でもかまわない。たとえばスキップ先のチャプタ番号のみをチャプタスキップのスプラッシュデータに含む場合、左側の三角形に十の位の数字を表示させ、右側の三角形に一の位の数字を表示させることとしてもよい。
【００５９】
また、本発明の実施の形態１では、２つの三角形の両方を用いてチャプタに関する情報を表示することとしたが、いずれか一方の三角形にのみ表示させることとしてもよい。
【００６０】
また、スキップ先のチャプタ番号および全チャプタ数の表示方法は上記のような数字に限られず、たとえば、図形や文字などであってもよい。
【００６１】
また、本発明の実施の形態１では、ハードディスク装置１４０とＤＶＤ駆動装置１７０との両方を備える構成としたが、いずれか一方であってもよい。また、他のディスク装置を備える構成であってもよい。
【００６２】
［実施の形態２］
上記実施の形態１では、所定の指示、すなわち、再生中のタイトルに対するチャプタバックスキップを含むチャプタスキップの指示が入力されたときに、指示の内容を示すスプラッシュマークにチャプタに関する情報を重畳させて表示するものであった。実施の形態２においても、実施の形態１と同様に、再生中のタイトルに対するチャプタスキップおよびチャプタバックスキップの指示が入力されたときに、指示の内容を示すスプラッシュマークにチャプタに関する情報を重畳させて表示するものである。したがって、実施の形態２においても「所定の指示」とは、再生中のタイトルに対するチャプタバックスキップを含むチャプタスキップの指示をいうものとする。また、実施の形態２において「特定の情報」とは、再生中のタイトルのチャプタに関する情報をいうものとする。
【００６３】
しかし、実施の形態１では、スプラッシュマークに重畳させるチャプタに関する情報は、全チャプタ数およびスキップ先のチャプタ番号であった。実施の形態２では、チャプタに関する情報として、スプラッシュマークにスキップした時間を重畳させるものである。
【００６４】
以下、本発明の実施の形態２に係る映像データ再生装置について説明する。なお、実施の形態２における映像データ再生装置の構成は、実施の形態１と同様であるので、図１に示したＤＶＤレコーダ１００の符号を用い、ここでの説明は繰り返さない。
【００６５】
また、実施の形態２においても、実施の形態１と同様にハードディスク１４４に記憶された映像データを読み出して再生することとし、実施の形態１で用いた図２〜図４に示したテーブルがハードディスク１４４のシステム領域に記憶されているものとする。
【００６６】
図７は、本発明の実施の形態２において、上記所定の指示があった場合にシステム制御回路１１０が実行する処理の流れを示すフローチャートである。なお、図５に示した処理と同様の処理については同じステップ番号を付し、ここでの説明は繰り返さない。
【００６７】
図７を参照して、ステップＳ１０２において、スプラッシュマーク４２が選択されると、システム制御回路１１０は、再生中のタイトルの現在の再生時間を読み出す（ステップＳ２０２）。次に、システム制御回路１１０は、スキップ先の再生時間を読み出す（ステップＳ２０４）。スキップ先の再生時間は、図３に示したチャプタ情報Ｄ７において、たとえばステップＳ２０２で読み出された現在の再生時間の直後あるいは直前の再生時間３２を検索することで取得される。
【００６８】
次に、システム制御回路１１０は、スキップ時間を計算する（ステップＳ２０６）。すなわち、ステップＳ２０２で読み出された現在の再生時間とステップＳ２０４で読み出されたスキップ先の再生時間との時間差を計算する。
【００６９】
たとえば、ステップＳ２０２で読み出された現在の再生時間が３５分３０秒であったとすると、所定の指示がチャプタスキップであった場合には、図３を参照すると、スキップ先の再生時間３２は４５分３０秒である。したがって、この場合、現在の再生時間（３５分３０秒）とスキップ先の再生時間３２（４５分３０秒）との時間差は、１０分と計算される。また、所定の指示がチャプタバックスキップであった場合には、図３を参照すると、スキップ先の再生時間３２は１５分１５秒である。したがって、この場合、現在の再生時間（３５分３０秒）とスキップ先の再生時間３２（１５分１５秒）との時間差は、２０分１５秒であると計算される。
【００７０】
なお、ステップＳ２０６において、本実施の形態では、スキップ時間を連続する２つの異なる時間単位で表わされるように計算する。「連続する２つの異なる時間単位」とは、「時・分」あるいは「分・秒」のことをいう。本実施の形態では、たとえば、スキップ時間を「時・分」で表わされるように計算される。したがって、計算された「秒」は、切り捨て、あるいは、四捨五入されることになる。
【００７１】
ステップＳ２０６の処理が終わると、ステップＳ１０８Ａに進む。
【００７２】
ステップＳ１０８Ａにおいて、システム制御回路１１０は、ステップＳ１０２およびＳ２０６の処理によって特定された情報に基づいて画面表示用データを生成するようＯＳＤ画像生成回路１１４に指示を出力する。具体的には、ステップＳ１０２で選択されたスプラッシュマーク４２と、ステップＳ２０６において計算されたスキップ時間と、それらの表示位置の情報とをＯＳＤ画像生成回路１１４に与える。
【００７３】
ＯＳＤ画像生成回路１１４は、システム制御回路１１０からの指示を受け、画面に表示させるために予め定められた形式に基づいて、画面表示用データを生成する。そして、生成された画面表示用データは、合成回路１５８に出力される。
【００７４】
ここで、実施の形態２における画面表示用データの生成について説明する。
【００７５】
実施の形態２においても、実施の形態１と同様に、指示内容４１が“チャプタスキップ”および“チャプタバックスキップ”に対応付けられたスプラッシュマーク４２は、横方向に連続する２つの三角形で構成されている。したがって、たとえば、本実施の形態では、２つの三角形のマークのうちの左側の三角形にスキップ時間の上位の時間単位を、右側の三角形にスキップ時間の下位の時間単位を重畳させて画像表示用データを生成する。本実施の形態では、左側の三角形にスキップ時間の「時」を、右側の三角形にスキップ時間の「分」を重畳させるものとする。このように、「上位の時間単位」とは、時間をたとえば時・分で表わした場合は“時”を示し、「下位の時間単位」とは、時間をたとえば時・分で表わした場合は“分”を示す。
【００７６】
なお、スキップ時間をスプラッシュマーク４２に重畳させるものであればよく、スキップ時間を秒のみで表わしてもよい。この場合、百以上の単位を左側の三角形に、十以下の単位を右側の三角形に重畳させることとしてもよい。
【００７７】
図８は、実施の形態２におけるスプラッシュデータの画面表示例を示す図である。図８（ａ）は、チャプタスキップの指示が入力された場合の画面表示例を示す図であり、図８（ｂ）は、チャプタバックスキップの指示が入力された場合の画面表示例を示す図である。
【００７８】
図８（ａ）を参照して、テレビ４００のたとえば画面右上の領域に、スプラッシュデータＭ８１が表示される。スプラッシュデータＭ８１の中には、左側の三角形に「０」が表示され、右側の三角形には「１０」が表示されている。これにより、ユーザは、「０：１０」と表示されるのと同様の感覚で、スキップ時間が（０時間）１０分であったことが分かる。
【００７９】
図８（ｂ）を参照して、テレビ４００のたとえば画面右上の領域に、スプラッシュデータＭ８２が表示される。スプラッシュデータＭ８２の中には、左側の三角形に「０」が表示され、右側の三角形には「２０」が表示されている。これにより、ユーザは、「０：２０」と表示されるのと同様の感覚で、スキップ時間が（０時間）２０分であったことが分かる。
【００８０】
このように、実施の形態２においても、従来のスプラッシュマーク４２を利用することで、ユーザによる特別な操作を不要とすることができる。また、画面に表示される映像データ（再生タイトル）の領域を削減することなく、ユーザからの指示の内容に応じた有用な情報を提示することができる。
【００８１】
なお、本発明の実施の形態２では、２つの三角形の両方を用いてチャプタに関する情報であるスキップ時間を表示することとしたが、いずれか一方の三角形にのみ表示させることとしてもよい。
【００８２】
また、スキップ時間の表示方法は上記のような数字に限られず、たとえば、図形や文字などで表示することとしてもよい。
【００８３】
また、本発明の実施の形態２においても、ハードディスク装置１４０とＤＶＤ駆動装置１７０との両方を備える構成としたが、いずれか一方であってもよい。また、他のディスク装置を備える構成であってもよい。
【００８４】
［実施の形態３］
上記実施の形態１および実施の形態２では、所定の指示、すなわち、再生中のタイトルに対するチャプタバックスキップを含むチャプタスキップの指示が入力されたときに、指示の内容を示すスプラッシュマークにチャプタに関する情報を重畳させて表示するものであった。実施の形態１では、チャプタに関する情報として、全チャプタ数およびスキップ先のチャプタ番号が重畳されるものであった。また、実施の形態２では、チャプタに関する情報として、スキップ時間が重畳されるものであった。
【００８５】
実施の形態３では、所定の指示、すなわち、再生中のタイトルに対するチャプタバックスキップを含むチャプタスキップの指示が入力されたときに、指示の内容を示すスプラッシュマークに、チャプタに関する情報として、スキップ先の再生時間を重畳させて表示するものである。なお、このように、実施の形態３においても「特定の情報」とは、再生中のタイトルのチャプタに関する情報をいうものとする。
【００８６】
以下、本発明の実施の形態３に係る映像データ再生装置について説明する。なお、実施の形態３における映像データ再生装置の構成は、実施の形態１および実施の形態２と同様であるので、図１に示したＤＶＤレコーダ１００の符号を用い、ここでの説明は繰り返さない。
【００８７】
また、実施の形態３においても、実施の形態１および実施の形態２と同様にハードディスク１４４に記憶された映像データを読み出して再生することとし、実施の形態１で用いた図２〜図４に示したテーブルがハードディスク１４４のシステム領域に記憶されているものとする。
【００８８】
図９は、本発明の実施の形態３において、上記所定の指示があった場合にシステム制御回路１１０が実行する処理の流れを示すフローチャートである。なお、図５および図７に示した処理と同様の処理については同じステップ番号を付し、ここでの説明は繰り返さない。
【００８９】
図９を参照して、ステップＳ１０２において、スプラッシュマーク４２が選択されると、システム制御回路１１０は、スキップ先の再生時間を読み出す（ステップＳ２０４）。スキップ先の再生時間は、図３に示したチャプタ情報Ｄ７において、上記所定の指示が入力されたときのタイトル（映像データ）の再生時間の直後あるいは直前の再生時間３２を検索することで取得される。
【００９０】
ステップＳ２０４の処理が終わると、ステップＳ１０８Ｂに進む。
【００９１】
ステップＳ１０８Ｂにおいて、システム制御回路１１０は、ステップＳ１０２およびＳ２０４の処理によって特定された情報に基づいて、画面表示用データを生成するようＯＳＤ画像生成回路１１４に指示を出力する。具体的には、ステップＳ１０２で選択されたスプラッシュマーク４２と、ステップＳ２０４において読み出されたスキップ先の再生時間３２と、それらの表示位置の情報とをＯＳＤ画像生成回路１１４に与える。
【００９２】
ＯＳＤ画像生成回路１１４は、システム制御回路１１０からの指示を受け、画面に表示させるために予め定められた形式に基づいて、画面表示用データを生成する。そして、生成された画面表示用データは、合成回路１５８に出力される。
【００９３】
ここで、実施の形態３における画面表示用データの生成について説明する。
【００９４】
実施の形態３においても、実施の形態１および実施の形態２と同様に、指示内容４１が“チャプタスキップ”および“チャプタバックスキップ”に対応付けられたスプラッシュマーク４２は、横方向に連続する２つの三角形で構成されている。したがって、たとえば、本実施の形態では、２つの三角形のマークのうちの左側の三角形にスキップ先の再生時間３２の上位の時間単位を、右側の三角形にスキップ時間の下位の時間単位を重畳させる。本実施の形態では、たとえば、左側の三角形にスキップ先の再生時間３２の「時」を、右側の三角形にスキップ先の再生時間３２の「分」を重畳させる。
【００９５】
なお、スキップ先の再生時間３２をスプラッシュマーク４２に重畳させるものであればよく、左側の三角形に「分」を、右側の三角形に「秒」を重畳させてもよい。また、スキップ先の再生時間３２を秒のみで表わしてもよい。この場合、百以上の単位を左側の三角形に、十以下の単位を右側の三角形に重畳させることとしてもよい。
【００９６】
図１０は、実施の形態３におけるスプラッシュデータの画面表示例を示す図である。図１０（ａ）は、チャプタスキップの指示が入力された場合の画面表示例を示す図であり、図１０（ｂ）は、チャプタバックスキップの指示が入力された場合の画面表示例を示す図である。
【００９７】
図１０（ａ）を参照して、テレビ４００のたとえば画面右上の領域に、スプラッシュデータＭ１０１が表示される。スプラッシュデータＭ１０１の中には、左側の三角形に「１」が表示され、右側の三角形には「２５」が表示されている。これにより、ユーザは、「１：２５」と表示されるのと同様の感覚で、スキップ先の再生時間が１時間２５分であることが分かる。
【００９８】
図１０（ｂ）を参照して、テレビ４００のたとえば画面右上の領域に、スプラッシュデータＭ１０２が表示される。スプラッシュデータＭ１０２の中には、左側の三角形に「０」が表示され、右側の三角形には「３０」が表示されている。これにより、ユーザは、「０：３０」と表示されるのと同様の感覚で、スキップ先の再生時間が（０時間）３０分であることが分かる。
【００９９】
このように、実施の形態３においても、従来のスプラッシュマーク４２を利用することで、ユーザによる特別な操作を不要とすることができる。また、画面に表示される映像データ（再生タイトル）の領域を削減することなく、ユーザからの指示の内容に応じた有用な情報を提示することができる。
【０１００】
なお、本発明の実施の形態３では、２つの三角形の両方を用いてチャプタに関する情報であるスキップ先の再生時間を表示することとしたが、いずれか一方の三角形にのみ表示させることとしてもよい。
【０１０１】
また、スキップ先の再生時間の表示方法は上記のような数字に限られず、たとえば、図形や文字などで表示することとしてもよい。
【０１０２】
また、本発明の実施の形態３においても、ハードディスク装置１４０とＤＶＤ駆動装置１７０との両方を備える構成としたが、いずれか一方であってもよい。また、他のディスク装置を備える構成であってもよい。
【０１０３】
［実施の形態４］
上記実施の形態１〜３では、再生中のタイトルに対するチャプタバックスキップを含むチャプタスキップの指示が入力されたときに、指示の内容を示すスプラッシュマークにチャプタに関する情報を重畳させて表示するものであった。
【０１０４】
本発明の実施の形態４では、所定の指示、すなわち、トリック再生の指示が入力された場合、指示の内容を示すスプラッシュマークに、再生中のタイトル（映像データ）の全再生時間に対する現在の再生時間の位置情報を重畳させて表示するものである。
【０１０５】
したがって、実施の形態４において「特定の情報」とは、再生中のタイトルの現在の再生時間の位置情報をいうものとする。
【０１０６】
本実施の形態において、「トリック再生」とは、通常の再生とは異なった形式の再生であり、たとえば早送り再生や巻き戻し再生など映像データを画面に表示しながら早送りや巻き戻しを行なうものである。
【０１０７】
以下、本発明の実施の形態４に係る映像データ再生装置について説明する。なお、実施の形態４における映像データ再生装置の構成は、実施の形態１〜３と同様であるので、図１に示したＤＶＤレコーダ１００の符号を用い、ここでの説明は繰り返さない。
【０１０８】
また、実施の形態４においても、実施の形態１〜３と同様にハードディスク１４４に記憶された映像データを読み出して再生することとし、実施の形態１で用いた図２および図４に示したテーブルがハードディスク１４４のシステム領域に記憶されているものとする。なお、実施の形態４では図２のタイトル管理データＢｊには、少なくとも開始アドレスＤ２，終了アドレスＤ３，録画時間長Ｄ４を含んでいるものであればよい。
【０１０９】
一般的な映像データ再生装置では、タイトル再生中に映像データの再生状況を知りたい場合には、上述のとおり、ユーザは、たとえば図示しないリモコンの「画面表示キー」を押すなど特別な操作が必要となる。このように画面表示キーをユーザが操作した場合に表示される画面の一例を図１４に示した。
【０１１０】
映像データの再生状況としては、図１４に示したような情報だけでなく、現在の再生位置がどのあたりであるかという情報も含む。このような現在の再生位置を知りたい場合にも、ユーザは、たとえば図示しないリモコンの「画面表示キー」を押すなど特別な操作が必要となる。図１５は、このような画面表示キーをユーザが操作した場合に表示される画面の他の例を示す図である。
【０１１１】
図１５を参照して、テレビ４００の下方には、タイトル再生の時間バー５５０が表示される。時間バー５５０では、時間バー５５０の長さが全再生時間とみたてられ、現在の再生位置Ｔ１を境として、映像データの再生状況が表示される。具体的には、たとえば、時間バー５５０において、再生位置Ｔ１より左側の領域が点灯されることで、現在の再生時間が分かる。
【０１１２】
このように、一般的な映像データ再生装置においては、映像データの再生状況のうち現在の再生位置を知りたい場合にもユーザに特別な操作をさせる必要がある。
【０１１３】
本実施の形態では、トリック再生の指示が入力された場合には、このような現在の再生位置を、公知のスプラッシュマーク４２を利用してユーザに知らせるものである。
【０１１４】
図１１は、本発明の実施の形態４において、実施の形態４における所定の指示、すなわち、トリック再生の指示があった場合にシステム制御回路１１０が実行する処理の流れを示すフローチャートである。なお、図５および図７に示した処理と同様の処理については同じステップ番号を付し、ここでの説明は繰り返さない。
【０１１５】
図１１を参照して、ステップＳ１０２において、トリック再生の指示の内容に応じたスプラッシュマーク４２が選択される。図４に示したように、スプラッシュマーク４２は予め指示内容４１と対応付けられて記憶されているため、ステップＳ１０２において、入力された指示内容４１に対応するスプラッシュマーク４２が選択される。
【０１１６】
次に、システム制御回路１１０は、再生中のタイトルの全再生時間を読み出す（ステップＳ４０２）。再生中のタイトルの全再生時間は、たとえば図２に示したタイトル管理データＢｊの録画時間長Ｄ４を読み出すことで取得される。
【０１１７】
次に、システム制御回路１１０は、現在の再生時間を読み出す（Ｓ２０２）。
【０１１８】
続いて、システム制御回路１１０は、ステップＳ１０２，Ｓ４０２，およびＳ２０２の処理によって特定された情報に基づいて、再生済か否かで色分けされた画面表示用データを生成するようＯＳＤ画像生成回路１１４に指示を出力する（ステップＳ４０６）。
【０１１９】
ＯＳＤ画像生成回路１１４は、システム制御回路１１０からの指示を受け、画面に表示させるために予め定められた形式に基づいて、画面表示用データを生成する。そして、生成された画面表示用データは、合成回路１５８に出力される。
【０１２０】
ここで、実施の形態４における画面表示用データの生成について図１２を用いて説明する。
【０１２１】
図１２では、トリック再生のうち“１６倍速の早送り再生”のスプラッシュマーク４２を用いる。なお、図１２には、色分けされた画面表示用データ（スプラッシュデータ）４２Ａを示す。
【０１２２】
図１２を参照して、本実施の形態では、スプラッシュデータ４２Ａは、左端から右端までを時間軸として捉えられる。すなわち、スプラッシュデータ４２Ａの左端（三角形の辺）から右端（三角形の角）までの長さを全再生時間ｔ２とする。そして、全再生時間ｔ２に対する現在の再生時間ｔ１の位置を境としてスプラッシュデータ４２Ａは色分けされる。
【０１２３】
たとえば、現在の再生時間ｔ１よりも左側の領域（ｔ０〜ｔ１）を再生済として点灯表示されるように、現在の再生時間ｔ１よりも右側の領域（ｔ１〜ｔ２）は未再生として点滅表示されるように、スプラッシュマーク４２にマスクをかけることにより、スプラッシュデータ４２Ａが生成される。また、予め１００パターンの色分けされたスプラッシュデータをハードディスク１４４などに記憶しておき、システム制御回路１１０が現在の再生時間が全再生時間の何パーセントにあたるかを計算して、１つを選択してＯＳＤ画像生成回路１１４に与えてもよい。なお、このような色分けの方法は、図１５に示した時間バー５５０と同様の公知の方法により実現することができる。また、ここでは点灯と点滅とで色分けをすることとしたが、これにかぎらない。たとえば白と黒とで色分けをすることとしてもよい。
【０１２４】
ステップＳ４０６の処理が終了すると、ステップＳ２０２に戻る。このように、トリック再生については、トリック再生の指示が解除されるまで、ステップＳ２０２およびＳ４０６の処理が繰り返され、ＯＳＤ画像生成回路１１４で画面表示用データが生成される。
【０１２５】
図１３は、実施の形態４におけるスプラッシュデータの画面表示例を示す図である。図１３（ａ）は、２倍速の早送り再生の指示が入力された場合の画面表示例を示す図であり、図１３（ｂ）は、１６倍速の早送り再生の指示が入力された場合の画面表示例を示す図である。
【０１２６】
図１３（ａ）を参照して、テレビ４００のたとえば画面左下の領域に、スプラッシュデータＭ１３１が表示される。スプラッシュデータＭ１３１は、２倍速の早送り再生のスプラッシュマーク４２と同じ形であるので、右向きの連続する２つの三角形で構成される。スプラッシュデータＭ１３１は、左側の三角形が点灯表示され、右側の三角形が点滅表示されている。これにより、ユーザは、現在の再生位置が全再生時間の半分程度であることが分かる。
【０１２７】
図１３（ｂ）を参照して、テレビ４００のたとえば画面左下の領域に、スプラッシュデータＭ１３２が表示される。スプラッシュデータＭ１３２は、１６倍速の早送り再生のスプラッシュマーク４２と同じ形であるので、右向きの連続する４つの三角形で構成される。スプラッシュデータＭ１３２の左側の２つの三角形および３つ目の３角形の半分の位置までが点灯表示され、３つ目の３角形の残り半分および最も右側の３角形が点滅表示されている。これにより、ユーザは、現在の再生位置が全再生時間の５／８程度であることが分かる。
【０１２８】
このように、実施の形態４においても、従来のスプラッシュマーク４２を利用することで、ユーザによる特別な操作を不要とすることができる。また、画面に表示される映像データ（再生タイトル）の領域を削減することなく、ユーザからの指示の内容に応じた有用な情報を提示することができる。
【０１２９】
なお、実施の形態４では、トリック再生の際に、上述のような処理を行なうこととしたが、たとえば、チャプタスキップの際など、他の動作によって行なうこととしてもかまわない。
【０１３０】
また、本発明の実施の形態４においても、ハードディスク装置１４０とＤＶＤ駆動装置１７０との両方を備える構成としたが、いずれか一方であってもよい。また、他のディスク装置を備える構成であってもよい。
【０１３１】
なお、本発明の実施の形態１〜４においては、映像データの再生状況に関する特定の情報を読み出したが、その他のたとえば録画状況などをスプラッシュマークに重畳させてもよい。
【０１３２】
また、上記実施の形態１〜４に示した画面表示用データの生成方法を、モードで選択できるようにした映像データ再生装置であってもよい。
【０１３３】
また、本発明の実施の形態で用いられるスプラッシュマークは、一般的に用いられるスプラッシュマークと同じサイズでなくてもよい。たとえば、特定の情報が視認しやすいように、一般的なスプラッシュマークよりも大きいサイズとしてもよい。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３５】
【図１】本発明の実施の形態に係る映像データ再生装置の一態様であるＤＶＤレコーダハードウェア構成を表わすブロック図である。
【図２】タイトル管理テーブルの構造例を示す図である。
【図３】タイトル管理データのチャプタ情報の内容例を示す図である。
【図４】指示の内容とスプラッシュマークとの対応テーブルの一例を示す図である。
【図５】本発明の実施の形態１においてシステム制御回路が実行する処理の流れを示すフローチャートである。
【図６】実施の形態１におけるスプラッシュデータの画面表示例を示す図である。
【図７】本発明の実施の形態２においてシステム制御回路が実行する処理の流れを示すフローチャートである。
【図８】実施の形態２におけるスプラッシュデータの画面表示例を示す図である。
【図９】本発明の実施の形態３においてシステム制御回路が実行する処理の流れを示すフローチャートである。
【図１０】実施の形態３におけるスプラッシュデータの画面表示例を示す図である。
【図１１】本発明の実施の形態４においてシステム制御回路が実行する処理の流れを示すフローチャートである。
【図１２】実施の形態４における画面表示用データの生成について説明するための図である。
【図１３】実施の形態４におけるスプラッシュデータの画面表示例を示す図である。
【図１４】従来、画面表示キーをユーザが操作した場合に表示される画面の一例を示す図である。
【図１５】従来、画面表示キーをユーザが操作した場合に表示される画面の他の例を示す図である。
【符号の説明】
【０１３６】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2006262094.tif 000003
【図２】
2006262094.tif 000004
【図３】
2006262094.tif 000005
【図４】
2006262094.tif 000006
【図５】
2006262094.tif 000007
【図６】
2006262094.tif 000008
【図７】
2006262094.tif 000009
【図８】
2006262094.tif 000010
【図９】
2006262094.tif 000011
【図１０】
2006262094.tif 000012
【図１１】
2006262094.tif 000013
【図１２】
2006262094.tif 000014
【図１３】
2006262094.tif 000015
【図１４】
2006262094.tif 000016
【図１５】
2006262094.tif 000017